(57)【要約】【課題】移動通信装置と各フェムトセル基地局との接続を自動的に切り替えるフェムトセル基地局及びその通信サービス切替方法を提供する。【解決手段】フェムトセル基地局Ｂ，Ｃは、移動通信装置２が接続されている状況の下、通信カバレッジ内の他のフェムトセル基地局Ａへの接続に切り替える処理を自動的に行うために用いる。フェムトセル基地局Ｂ，Ｃは、移動通信装置２に通信カバレッジ内に存在する他のフェムトセル基地局Ａに接続する権限を与える許可リストを保存するために用いられるデータベース１１と、通信警報値及び信号取込時間を設定するために用いられる設定モジュール１２と、時間計測処理を行うために用いられる検出モジュール１３と、優先リストを構築するために用いられる取込モジュール１４と、切替を実行するために用いられる切替モジュール１５とを備える。【選択図】図１
2012050058.tif 000002
【特許請求の範囲】
【請求項１】
移動通信装置が接続されている状況の下、通信カバレッジ内の他のフェムトセル基地局への接続に切り替える処理を自動的に行うために用いられるフェムトセル基地局であって、
前記移動通信装置に通信カバレッジ内に存在する他のフェムトセル基地局に接続する権限を与える許可リストを保存するために用いられるデータベースと、
通信警報値及び信号取込時間を設定するために用いられる設定モジュールと、
自身の信号強度を検出する上、前記信号強度が前記通信警報値より小さいとき、前記信号取込時間の設定範囲に基づき、時間計測処理を行うために用いられる検出モジュールと、
自身の信号強度と、前記許可リスト内の他のフェムトセル基地局の信号強度と、を取り込み続け、時間計測処理が終了した後、前記各信号強度の大きさに基づき、優先リストを構築するために用いられる取込モジュールと、
前記優先リスト中の前記各信号強度を比較し、自身の信号強度が前記優先リスト中の他のフェムトセル基地局の信号強度より小さいとき、前記優先リストの他のフェムトセル基地局を切替対象として選択し、切替を実行するために用いられる切替モジュールと、を備えることを特徴とするフェムトセル基地局。
【請求項２】
前記データベース中には、自身及び通信カバレッジ内の他のフェムトセル基地局のセルＩＤ及びＩＰアドレスが保存されることを特徴とする請求項１に記載のフェムトセル基地局。
【請求項３】
前記取込モジュールは、前記信号取込時間内において継続して取り込んだ前記信号強度を計算し、平均信号強度を取得するために用いられる計算ユニットをさらに有することを特徴とする請求項１に記載のフェムトセル基地局。
【請求項４】
前記切替モジュールは、前記信号取込時間内における前記各平均信号強度の大きさを比較するために用いられる比較ユニットをさらに有することを特徴とする請求項３に記載のフェムトセル基地局。
【請求項５】
前記フェムトセル基地局は、第３世代移動通信システム中に応用されることを特徴とする請求項１に記載のフェムトセル基地局。
【請求項６】
移動通信装置が接続されている状況の下、通信カバレッジ内の他のフェムトセル基地局への接続に切り替える処理を自動的に行うために用いられるフェムトセル基地局の通信サービス切替方法であって、
前記移動通信装置に通信カバレッジ内の他のフェムトセル基地局に接続する権限を与えるために用いられる許可リストを構築する上、通信警報値及び信号取込時間を設定するステップと、
自身の信号強度を検出する上、前記信号強度が前記通信警報値より小さいとき、前記信号取込時間の設定範囲に基づき、時間計測処理を行い、前記時間計測処理によって取得された計測時間が前記信号取込時間に到達していないとき、自身と、前記許可リスト内の前記各他のフェムトセル基地局と、の信号強度を取り込み続け、前記各他のフェムトセル基地局の信号強度の大きさに基づき、優先リストを構築するステップと、
前記時間計測処理によって取得された計測時間が前記信号取込時間に到達した上、自身の信号強度が前記優先リスト中の最優先のフェムトセル基地局より小さいとき、前記優先リスト中の最優先のフェムトセル基地局を切替対象として選択し、切替を実行して前記移動通信装置と接続するステップと、を含むことを特徴とするフェムトセル基地局の通信サービス切替方法。
【請求項７】
自身及び通信カバレッジ内の他のフェムトセル基地局のセルＩＤ及びＩＰアドレスを保存するステップをさらに含むことを特徴とする請求項６に記載のフェムトセル基地局の通信サービス切替方法。
【請求項８】
前記時間計測処理によって取得された計測時間が前記信号取込時間に到達していないとき、取り込んだ前記各信号強度を計算して平均信号強度を取得するステップをさらに含むことを特徴とする請求項６に記載のフェムトセル基地局の通信サービス切替方法。
【請求項９】
前記時間計測処理によって取得された計測時間が前記信号取込時間に到達したとき、前記各平均信号強度の大きさを比較し、自身の平均信号強度が前記許可リスト中の他のフェムトセル基地局の平均信号強度より小さいとき、前記優先リスト中の最優先のフェムトセル基地局を切替対象として選択し、切替を実行するステップをさらに含むことを特徴とする請求項８に記載のフェムトセル基地局の通信サービス切替方法。
【請求項１０】
前記フェムトセル基地局の通信サービス切替方法は、第３世代移動通信システム中に応用されることを特徴とする請求項６に記載のフェムトセル基地局の通信サービス切替方法。
【発明の詳細な説明】
【技術分野】
【０００１】
本発明は、無線通信の切替技術に関し、特に、移動通信装置が多数のフェムトセル基地局が提供する通信カバレッジに進入したとき、移動通信装置と各フェムトセル基地局との接続を自動的に切り替えるフェムトセル基地局及びその通信サービス切替方法に関する。
【背景技術】
【０００２】
ネットワーク通信の発展過程において、カバレッジ（ｃｏｖｅｒａｇｅ）は、通信事業者がネットワークを構築する上で常に重視され続けている。また、カバレッジは、ユーザが通信事業者を選択するときに考慮する要素の１つとなっている。現在すでに、広域ネットワークのカバレッジは、非常に安定している。例えば、カバレッジの大きなマクロセル（Ｍａｃｒｏ  ｃｅｌｌ）基地局は、人口が少ない上、移動速度が速いユーザフローに応用することができる。これにより、都市部から離れた農村であっても、広域ネットワーク内に含めることができる。
【０００３】
しかし、人口が密集する都市部の場合、高層ビルの密集度が高まり、建築物内を移動するユーザが増加するにつれ、室内領域は、マクロセル基地局からの電波が届きにくい領域となっている。そこで、フェムトセル（Ｆｅｍｔｏｃｅｌｌ）と呼ばれる基地局が運用されている。フェムトセル基地局により、移動通信ネットワークのカバレッジが延展され、室内領域に電波が届きにくいという問題を解決している。
【０００４】
周知の通り、移動通信端末（例えば携帯電話）とマクロセル基地局との間の接続切替は、信号を比較することによって行われる。即ち、移動通信端末が周辺の多数のマクロセル基地局を同時に検出したとき、信号が最も強いマクロセル基地局を接続対象とする傾向にある。マクロセル基地局間は、光ファイバによって接続されるため、マクロセル基地局間の情報交換速度は非常に速い。即ち、マクロセル基地局間の信号比較は、同期比較であり、遅延が発生しない。従って、マクロセル基地局間の比較に誤差が発生することにより、移動通信端末が通信品質の最も優れたマクロセル基地局との接続に切り替えられないという状況は発生しない。
【０００５】
しかし、一般に、フェムトセル基地局のネットワークシステムにおいては、フェムトセル基地局間は、ネットワークケーブルによって接続される。ネットワークケーブルの信号伝送速度は、光ファイバの信号伝送速度よりはるかに遅いため、フェムトセル基地局間においては、マクロセル基地局間のように信号を同期比較することができない。そのため、フェムトセル基地局が信号強弱の比較を行うとき、判断作業を行うフェムトセル基地局は、他のフェムトセル基地局の信号パラメータ値（即ち、信号強度）をリアルタイムに取り込むことができない。これにより、取り込んだ信号パラメータ値は、信頼性が低く、比較誤差が発生し、信号強度が低下しているフェムトセル基地局に切り替えられる状況が発生する虞がある。従って、正確でスムーズなシステムの切替作業を行うことができなかった。
【０００６】
そのために、上述の欠点を解決することができるフェムトセル基地局及びその通信サービス切替技術が求められていた。
【発明の概要】
【発明が解決しようとする課題】
【０００７】
本発明の目的は、従来技術における、移動通信装置が多数のフェムトセル基地局が提供する通信カバレッジに進入したとき、各フェムトセル基地局間において、信号強度をリアルタイムに取得できないことにより、比較誤差が発生するという問題を解決することができるフェムトセル基地局及びその通信サービス切替方法を提供することにある。
【課題を解決するための手段】
【０００８】
上記課題を解決するために、本発明の第１の形態によれば、移動通信装置が接続されている状況の下、通信カバレッジ内の他のフェムトセル基地局への接続に切り替える処理を自動的に行うために用いられるフェムトセル基地局であって、前記移動通信装置に通信カバレッジ内に存在する他のフェムトセル基地局に接続する権限を与える許可リストを保存するために用いられるデータベースと、通信警報値及び信号取込時間を設定するために用いられる設定モジュールと、自身の信号強度を検出する上、前記信号強度が前記通信警報値より小さいとき、前記信号取込時間の設定範囲に基づき、時間計測処理を行うために用いられる検出モジュールと、自身の信号強度と、前記許可リスト内の他のフェムトセル基地局の信号強度と、を取り込み続け、時間計測処理が終了した後、前記各信号強度の大きさに基づき、優先リストを構築するために用いられる取込モジュールと、前記優先リスト中の前記各信号強度を比較し、自身の信号強度が前記優先リスト中の他のフェムトセル基地局の信号強度より小さいとき、前記優先リストの他のフェムトセル基地局を切替対象として選択し、切替を実行するために用いられる切替モジュールと、を備えることを特徴とするフェムトセル基地局が提供される。
【０００９】
また、前記データベース中には、自身及び通信カバレッジ内の他のフェムトセル基地局のセルＩＤ及びＩＰアドレスが保存されることが好ましい。
【００１０】
また、前記取込モジュールは、前記信号取込時間内において継続して取り込んだ前記信号強度を計算し、平均信号強度を取得するために用いられる計算ユニットをさらに有することが好ましい。
【００１１】
また、前記切替モジュールは、前記信号取込時間内における前記各平均信号強度の大きさを比較するために用いられる比較ユニットをさらに有することが好ましい。
【００１２】
また、前記フェムトセル基地局は、第３世代移動通信システム中に応用されることが好ましい。
【００１３】
上記課題を解決するために、本発明の第２の形態によれば、移動通信装置が接続されている状況の下、通信カバレッジ内の他のフェムトセル基地局への接続に切り替える処理を自動的に行うために用いられるフェムトセル基地局の通信サービス切替方法であって、前記移動通信装置に通信カバレッジ内の他のフェムトセル基地局に接続する権限を与えるために用いられる許可リストを構築する上、通信警報値及び信号取込時間を設定するステップと、自身の信号強度を検出する上、前記信号強度が前記通信警報値より小さいとき、前記信号取込時間の設定範囲に基づき、時間計測処理を行い、前記時間計測処理によって取得された計測時間が前記信号取込時間に到達していないとき、自身と、前記許可リスト内の前記各他のフェムトセル基地局と、の信号強度を取り込み続け、前記各他のフェムトセル基地局の信号強度の大きさに基づき、優先リストを構築するステップと、前記時間計測処理によって取得された計測時間が前記信号取込時間に到達した上、自身の信号強度が前記優先リスト中の最優先のフェムトセル基地局より小さいとき、前記優先リスト中の最優先のフェムトセル基地局を切替対象として選択し、切替を実行して前記移動通信装置と接続するステップと、を含むことを特徴とするフェムトセル基地局の通信サービス切替方法が提供される。
【００１４】
また、自身及び通信カバレッジ内の他のフェムトセル基地局のセルＩＤ及びＩＰアドレスを保存するステップをさらに含むことが好ましい。
【００１５】
また、前記時間計測処理によって取得された計測時間が前記信号取込時間に到達していないとき、取り込んだ前記各信号強度を計算して平均信号強度を取得するステップをさらに含むことが好ましい。
【００１６】
また、前記時間計測処理によって取得された計測時間が前記信号取込時間に到達したとき、前記各平均信号強度の大きさを比較し、自身の平均信号強度が前記許可リスト中の他のフェムトセル基地局の平均信号強度より小さいとき、前記優先リスト中の最優先のフェムトセル基地局を切替対象として選択し、切替を実行するステップをさらに含むことが好ましい。
【００１７】
また、前記フェムトセル基地局の通信サービス切替方法は、第３世代移動通信システム中に応用されることが好ましい。
【発明の効果】
【００１８】
本発明のフェムトセル基地局及びその通信サービス切替方法は、通信警報値及び信号取込時間が設定され、信号強度が通信警報値より小さいとき、移動通信装置２に通信サービスを提供している主フェムトセル基地局と、主フェムトセル基地局が提供する通信カバレッジ内の他のフェムトセル基地局と、の信号強度を比較する。次に、主フェムトセル基地局が提供する通信カバレッジ内の信号強度が高いフェムトセル基地局を移動通信端末に接続する対象に選択する。本発明により、主フェムトセル基地局が提供する通信カバレッジ内の他のフェムトセル基地局の信号パラメータ値を有効にリアルタイムに取得し、スムーズな切替を行うことができる。
【図面の簡単な説明】
【００１９】
【図１】本発明の一実施形態によるフェムトセル基地局の基本システムを示すブロック図である。
【図２】本発明の一実施形態によるフェムトセル基地局の通信サービス切替方法を示す流れ図である。
【発明を実施するための形態】
【００２０】
以下、本発明の実施形態について図に基づいて説明する。なお、これによって本発明が限定されるものではない。
【００２１】
図１を参照する。図１は、本発明の一実施形態によるフェムトセル基地局の基本システムを示すブロック図である。図１に示すように、本発明の一実施形態によるフェムトセル基地局は、主フェムトセル基地局Ａに接続されている移動通信装置２を主フェムトセル基地局Ａが提供する通信カバレッジ内の他のフェムトセル基地局Ｂ又はＣへの接続に切り替える処理を自動的に行うために用いられる。ここで、本発明の切替方法を明確に説明するため、本発明の一実施形態中、移動通信装置２、主フェムトセル基地局Ａ及びフェムトセル基地局Ｂ，Ｃを例示して説明を行う。
【００２２】
本発明の一実施形態中、前述の主フェムトセル基地局Ａ及びフェムトセル基地局Ｂ，Ｃは、第３世代移動通信システム（３Ｇ）中に応用される。また、主フェムトセル基地局Ａ及びフェムトセル基地局Ｂ，Ｃ中には、移動通信装置２に接続する権限を与える許可リストが保存される。即ち、本発明の一実施形態の移動通信装置２は、主フェムトセル基地局Ａ及びフェムトセル基地局Ｂ，Ｃへの接続資格を有する。移動通信装置２は、３ＧＰＰ  Ｒｅｌｅａｓｅ９９，Ｒｅｌｅａｓｅ４，Ｒｅｌｅａｓｅ５，Ｒｅｌｅａｓｅ６，Ｒｅｌｅａｓｅ７，Ｒｅｌｅａｓｅ８および後続の３Ｇに対応し、測位機能を有するＷＣＤＭＡ端末およびＴＤ−ＳＣＤＭＡ端末に適用される。
【００２３】
図１に示すように、主フェムトセル基地局Ａは、データベース１１、設定モジュール１２、検出モジュール１３、取込モジュール１４及び切替モジュール１５を含む。
【００２４】
データベース１１は、移動通信装置２に主フェムトセル基地局Ａが提供する通信カバレッジ内の他のフェムトセル基地局Ｂ，Ｃに接続する権限を与える許可リストを保存するために用いられる。本発明の一実施形態中、データベース１１中には、主フェムトセル基地局ＡのセルＩＤ（ｃｅｌｌ  ＩＤ）及びＩＰアドレスも保存される。
【００２５】
設定モジュール１２は、通信警報値及び信号取込時間を設定するために用いられる。本発明の一実施形態中、通信警報値は、基地局の通信規格中に規定される通信閾値に基づいて設定される。具体的に述べると、通信警報値は、通信閾値より大きく、これにより、移動通信装置２と主フェムトセル基地局Ａとの間の通信信号強度が通信警報値より小さくても通信が中断しない。上述の通信警報値及び通信閾値は、予め設定される信号強度パラメータである。各フェムトセル基地局間は、一般のネットワークケーブルを介して接続されるため、フェムトセル基地局間において信号比較を行うとき、遅延が発生する。従って、本発明の一実施形態中、信号取込時間は、遅延時間よりも長い。具体的に述べると、信号取込時間は、信号強度の取込を実行する時間である。
【００２６】
検出モジュール１３は、自身（即ち、主フェムトセル基地局Ａ）の信号強度を検出する上、信号強度が通信警報値より小さいとき、信号取込時間の設定範囲に基づき、時間計測処理を行うために用いられる。本発明の一実施形態中、検出モジュール１３は、主フェムトセル基地局Ａと移動通信装置２との間の通信信号強度を検出する。信号強度が設定モジュール１２中に予め設定された通信警報値より小さいとき、検出モジュール１３は、信号取込時間の設定範囲に基づき、時間計測を開始する。
【００２７】
検出モジュール１３が時間計測を開始したとき、取込モジュール１４は、設定モジュール１２に設定された信号取込時間に基づき、信号取込時間内において許可リスト内のフェムトセル基地局Ｂ及びフェムトセル基地局Ｃの信号強度を取り込み続ける。また、取込モジュール１４中の計算ユニット１４１により、信号取込時間内において取り込み続けたフェムトセル基地局Ｂ及びフェムトセル基地局Ｃの信号強度の平均信号強度を計算する。次に、平均信号強度の大きさに基づき、優先順序を確定し、優先リストを構築する。例えば、計算ユニット１４１による計算の結果、フェムトセル基地局Ｂの平均信号強度がフェムトセル基地局Ｃの平均信号強度より大きい場合、構築される優先リスト中、フェムトセル基地局Ｂが最優先のフェムトセル基地局とされる。
【００２８】
また、取込モジュール１４は、信号取込時間内において、主フェムトセル基地局Ａの信号強度を取り込み続ける。次に、取込モジュール１４内の計算ユニット１４１により、主フェムトセル基地局Ａの信号取込時間内の平均信号強度を計算する。
【００２９】
検出モジュール１３が時間計測処理を行うことによって取得された計測時間が設定モジュール１２に設定された信号取込時間に到達したとき、時間計測処理を終了する。次に、切替モジュール１５が優先リスト中の各信号強度を比較する。即ち、信号取込時間内における各信号強度を比較する。本発明の一実施形態中、比較過程は、切替モジュール１５中の比較ユニット１５１によって行われる。即ち、比較ユニット１５１は、取込モジュール１４が計算した各平均信号強度の大きさを比較する。主フェムトセル基地局Ａの平均信号強度が優先リスト中の最優先のフェムトセル基地局Ｂ又はフェムトセル基地局Ｃの平均信号強度より小さいとき、フェムトセル基地局Ｂ又はフェムトセル基地局Ｃを切替対象として選択し、切替を実行して移動通信装置２と接続する。また、主フェムトセル基地局Ａの平均信号強度が優先リスト中の最優先のフェムトセル基地局Ｂ又はフェムトセル基地局Ｃの平均信号強度以上のとき、移動通信装置２は、継続して主フェムトセル基地局Ａと接続され続け、通信を行う。
【００３０】
上述したことから分かるように、主フェムトセル基地局Ａが通信信号強度を比較する過程において、他のフェムトセル基地局の信号パラメータ値を予め取得することができるため、従来技術における、通信サービスの切替処理を実行するとき、他のフェムトセル基地局の信号パラメータ値をリアルタイムに取得できないことにより、スムーズな切替を行うことができないという欠点を解決できる。
【００３１】
図２を参照する。図２に示すように、本発明の一実施形態によるフェムトセル基地局の通信サービス切替方法は、移動通信装置が接続されている状況の下、移動通信装置を通信カバレッジ内の他のフェムトセル基地局への接続に切り替える処理（ｈａｎｄｏｖｅｒ）を自動的に行うために用いられる。
【００３２】
本発明の一実施形態によるフェムトセル基地局の通信サービス切替方法は、以下Ｓ１〜Ｓ７のステップを含む。
【００３３】
Ｓ１：移動通信装置に通信カバレッジ内の他のフェムトセル基地局に接続する権限を与えるために用いられる許可リストを構築する。本発明の一実施形態中、主フェムトセル基地局のセルＩＤ及びＩＰアドレスも保存される。次にＳ２に進む。
【００３４】
Ｓ２：通信警報値及び信号取込時間を設定する。本発明の一実施形態中、通信警報値は、基地局の通信規格中に規定される通信閾値に基づいて設定される。具体的に述べると、通信警報値は、通信閾値より大きく、これにより、移動通信装置と主フェムトセル基地局との間の通信信号強度が通信警報値より小さくても通信が中断しない。上述の通信警報値及び通信閾値は、予め設定される信号強度パラメータである。各フェムトセル基地局間は、一般のネットワークケーブルを介して接続されるため、フェムトセル基地局間において信号比較を行うとき、遅延が発生する。従って、本発明の一実施形態中、信号取込時間は、遅延時間よりも長い。次にＳ３に進む。
【００３５】
Ｓ３：主フェムトセル基地局の信号強度を検出する上、信号強度が通信警報値より小さいとき、信号取込時間の設定範囲に基づき、時間計測処理を行う。本発明の一実施形態中、主フェムトセル基地局の信号強度の検出は、主フェムトセル基地局と移動通信装置との間の通信信号強度を検出することによって行われる。信号強度がＳ２において予め設定された通信警報値より小さいとき、時間計測を開始する。次にＳ４に進む。
【００３６】
Ｓ４：Ｓ３において時間計測処理が開始されたとき、Ｓ２において予め設定された信号取込時間内において、許可リスト内の各フェムトセル基地局及び主フェムトセル基地局の信号強度を取り込み続ける。次にＳ５に進む。
【００３７】
Ｓ５：信号取込時間内において取り込まれ続けた許可リスト内の各フェムトセル基地局の信号強度及び主フェムトセル基地局の信号強度に基づき、優先リストを構築する。次にＳ６に進む。
【００３８】
Ｓ６：信号取込時間内における各信号強度を比較する。次にＳ７に進む。
【００３９】
Ｓ７：主フェムトセル基地局の信号強度が優先リスト中の最優先のフェムトセル基地局の信号強度より小さいとき、最優先のフェムトセル基地局を切替対象として選択し、切替を実行して移動通信装置と接続する。上述したことから分かるように、通信サービスを提供している主フェムトセル基地局と、切替対象とされるフェムトセル基地局と、が移動通信装置に接続されるため、切替を実行する前に切替対象とされるフェムトセル基地局は、通信サービスを提供している主フェムトセルの信号パラメータ値を取得することができる。これにより、切替をスムーズに行うことができる。また、Ｓ７のもう１つの状況として、主フェムトセル基地局の信号強度が優先リスト中の最優先のフェムトセル基地局の信号強度以上のとき、移動通信装置は、継続して主フェムトセル基地局と接続され続け、通信を行う。
【００４０】
また、上述の比較される信号強度と、取り込まれた信号強度に基づいて構築される優先リストと、に関し、前述のステップにおいて述べた信号強度は、平均信号強度でもよい。即ち、前述のＳ５において、信号取込時間内において取り込まれ続けた各フェムトセル基地局の信号強度を計算し、各フェムトセル基地局の平均信号強度を取得する。次に、平均信号強度に基づき、優先リストを構築する。また、前述のＳ６において、信号取込時間内における各平均信号強度を比較する。次に、前述のＳ７において、主フェムトセル基地局の平均信号強度が優先リスト中の最優先のフェムトセル基地局の平均信号強度より小さいとき、優先リスト中の最優先のフェムトセル基地局を切替対象として選択し、切替を実行する。
【００４１】
上述したことから分かるように、本発明のフェムトセル基地局及びその通信サービス切替方法は、通信警報値及び信号取込時間が設定され、信号強度が通信警報値より小さいとき、移動通信装置に通信サービスを提供している主フェムトセル基地局と、主フェムトセル基地局が提供する通信カバレッジ内の他のフェムトセル基地局と、の信号強度を比較する。次に、主フェムトセル基地局が提供する通信カバレッジ内の信号強度が高いフェムトセル基地局を移動通信端末に接続する対象に選択する。本発明により、主フェムトセル基地局が提供する通信カバレッジ内の他のフェムトセル基地局の信号パラメータ値を有効にリアルタイムに取得し、スムーズな切替を行うことができる。上述したことから分かるように、本発明は、産業上の利用価値を有する。
【００４２】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００４３】
２  移動通信装置
１１  データベース
１２  設定モジュール
１３  検出モジュール
１４  取込モジュール
１５  切替モジュール
１４１  計算ユニット
１５１  比較ユニット
Ａ  主フェムトセル基地局
Ｂ  フェムトセル基地局
Ｃ  フェムトセル基地局
【図１】
2012050058.tif 000003
【図２】
2012050058.tif 000004